(57)【要約】【課題】  災害時の避難場所となる屋内に簡単に組立てることが出来る段ボール製ブースの提供。【解決手段】  ブースは垂直に起立した複数枚の段ボール製側壁１，１・・・を結束バンド３，３・・・を用いて互いに連結し、各コーナーにはＬ形に屈曲した側壁１，１・・を配置し、そして出入口に設けたドア２は側壁１の一部をコ形に切り抜くと共に、開閉するために一辺は側壁１の内面側一部を切り込んで継手としている。【選択図】    図１
2016108781.tif 000002
【特許請求の範囲】
【請求項１】
災害時の避難場所となる屋内に設置されるブースにおいて、該ブースは垂直に起立した複数枚の段ボール製側壁を結束バンドを用いて互いに連結し、各コーナーにはＬ形に屈曲した側壁を配置し、そして出入口に設けたドアは側壁の一部をコ形に切り抜くと共に、開閉する為に一辺は側壁の内面側一部を切り込んで継手としたことを特徴とする組立て式の段ボール製ブース。
【請求項２】
側壁の上端、下端、及びコーナーに補強材を取付けた請求項１記載の組立て式の段ボール製ブース。
【発明の詳細な説明】
【技術分野】
【０００１】
本発明は大地震、洪水、又は原子力発電所からの放射能漏れなどが発生した災害時に公共の施設へ避難する場合、プライベートな空間を形成するために屋内に設置することが出来る組立て式の段ボール製ブースに関するものである。
【背景技術】
【０００２】
近年、我国をはじめ世界各国で大きな地震が発生し、その結果、住む家を無くして避難生活を強いられる場合が多く見受けられる。平成２３年３月１１日に発生した東日本大震災では太平洋側の関東から東北全域にわたっての巨大地震に襲われ、しかも地震によって発生した大津波が押し寄せて多くの人や家屋が波にさらわれてしまった。そのために、何十万人もの人が学校、体育館、公民館などの公共施設で避難生活を送ることになった。
最近では、東日本大震災の他にも大雨によって土砂崩れが発生し、避難生活を強いられたケースが何度もある。
【０００３】
ところで、これら公共施設では広い空間に多くの家族が一同に生活することになり、このような場合には色々な苦労や問題がある。その１つにプライバシーに関する問題があり、広い空間での共同生活では個人のプライバシーが確保できず、避難生活が長期にわたると被災者は精神的な苦痛とストレスに悩まされ、場合によっては病気になることがある。
したがって、体育館などの広い空間内に段ボールなどを起立して周りを仕切る人もいるが、段ボールを起立しただけの仕切りは安定せず、しかも仕切りの高さが数十センチ〜１メートル程度であることから、プライバシーを十分に確保することは出来ない。
【０００４】
また、従来から提案され実用化されている板状の間仕切りも存在するが、嵩張り、重量が大であり、避難所用の広い空間への搬送作業、組立作業、取外し作業などが繁雑であるという欠点があるばかりでなく、組立て作業や取外し作業などに時間がかかると共に高価であるという欠点もある。また、設置に際してクギなどの固定具を使用することが多いために、避難所の床面をキズ付けるという問題もある。
【０００５】
この点を考慮するならば、段ボールなどで構成して床面に載置するだけのブース形態とする方が好ましい。特開２００６−２７４７４０号に係る「避難所用間仕切りユニット体、およびこれを利用した避難所用間仕切り構造」は、避難所用の広い部屋（空間）を小さい区画（空間）に仕切るユニット体、およびこれを利用した避難所用間仕切り構造である。
そこで、広幅・長尺の段ボールの面に、長さ方向に沿って一定幅で交互に谷折りおよび山折り可能にされた折り目が設けられてなる単位を一単位体とし、複数の単位体が順次連接されてなる避難所用間仕切りユニット体である。しかし、複数の単位体が順次連接したユニット体である為に、個人的に必要に応じて設置することは出来にくい。
【０００６】
特開２０１０−１１６７６６号に係る「ブースユニット」は、ネットカフェや災害時の避難所等において個人又はグループ用の専用スペースを極めて簡単に構成でき、出入口の向きや位置を種々設定でき、空間効率を高めることが可能であり、区画配置の変更や撤去・移設も容易に行えるようにしている。
そこで、矩形床板の長手方向一端側を前として、床板上の前半部が前方及び左右両側と上方を覆われて後方側に開放した囲いブースＢ１を構成し、同後半部が前後左右及び上方に開放した開放ブースＢ２を構成し、開放ブースＢ２には囲いブースＢ１の天井部の左右両側から後方へ延出して床板の後端部の左右両側に至るフレームを備えている。
【０００７】
特開２０１２−２２５０６０号に係る「組立て式ブース」は、災害時の避難場所となる屋内に簡単に組立てることが出来るハッポースチロール製ブースである。
ブースの周囲は床面から垂直に起立する側壁にて囲まれ、該側壁は１枚又は複数枚のハッポースチロール板の側端に形成した嵌合凹部と嵌合凸部を互いに噛み合わせることで接続して構成し、側壁を構成する１枚のハッポースチロール板には開口を設けると共に、該開口には開閉することが出来るハッポースチロールから成るドアを取付けている。
【０００８】
このように避難用ブースは色々あるが構造的に煩雑であり、その為に製作コストはたなく成ってしまう。
【特許文献１】特開２００６−２７４７４０号に係る「避難所用間仕切りユニット体、およびこれを利用した避難所用間仕切り構造」
【特許文献２】特開２０１０−１１６７６６号に係る「ブースユニット」
【特許文献３】特開２０１２−２２５０６０号に係る「組立て式ブース」
【発明の開示】
【発明が解決しようとする課題】
【０００９】
このように従来の避難用ブースには上記のごとき問題がある。本発明が解決しようとする課題はこの問題点であり、家族の人数に応じて大きさを自由に変更することが出来、しかも素人であっても簡単に設置可能な組立て式の段ボール製ブースを提供する。
【課題を解決するための手段】
【００１０】
本発明に係る組立て式の段ボール製ブースは、複数枚の段ボールを起立すると共に側端部を連結してブースを構成している。ここで、連結手段として樹脂製の結束バンドが使用され、段ボールの側端部に穴を貫通し、隣り合う段ボールの側端を突き合わせた状態で、穴に結束バンドを通して締付けることが出来る。背丈程の段ボールであれば、３か所程度を結束バンドを介して連結することで十分である。ただし、ブースのコーナー部での結束はしないように、該コーナー部にはＬ形に屈曲した段ボールを配置している。
【００１１】
段ボールは所定のサイズに裁断したままで十分であるが、下端、上端、及び側端には樹脂製の縁を取付ける場合もある。そして、出入口には開閉するドアを設けているが、該ドアは段ボールの一部を切断し（切抜き）、継手側は厚さの一部を残している。すなわち、蝶番などの特別な継手部材を取付けることなく、内側を切り込んでドアが外側へ開くようにしている。そして、床面には床と成る段ボールを敷設している。
【発明の効果】
【００１２】
本発明に係る組立て式の段ボール製ブースは、市販されている段ボールを材料として構成するもので、材料費は非常に安くなる。そして、起立した複数枚の段ボールの側端を突き合わせて結束バンドにて連結することでブースを組み立てることが出来、しかも、出入口と成るドアは継手側を除いて段ボールの一部を切り抜くことで作ることが出来る。そのために、製作費及び組立てコストも非常に安く済む。
【００１３】
段ボールは厚さが薄くて嵩張ることはなく、災害地への搬送も楽であり、保管する際にも大きな場所や空間を必要としない。すなわち、組み立てたブースの状態で搬送したり保管するのではなく、複数枚の段ボールは積み重ねられて被災地へ搬送され、保管も出来る。そして、搬送先では素人であっても結束バンドを用いて簡単に組み立てることが可能である。特に、ブースのコーナー部にはＬ形に屈曲した段ボールが配置されることで、組み立てたブースは安定して起立する。
【００１４】
ブースの大きさ（床面積）は家族の人数に応じて段ボールの使用枚数を変えることで調整することが出来る。また、段ボールは遮音性に優れ、断熱性にも優れている為に、冬場の避難生活であっても、天井を段ボールを載置して塞ぐならば内部は比較的暖かく、静かな空間を形成出来る。
【図面の簡単な説明】
【００１５】
【図１】本発明の組立て式の段ボール製ブースを示す実施例。
【図２】組み立て式の段ボールブースのドアを開いた状態。
【図３】平坦な段ボール。
【図４】Ｌ形に屈曲した段ボール製側壁。
【図５】本発明の組み立て式の段ボール製ブースの他の実施例。
【発明を実施するための形態】
【００１６】
図１、図２は本発明に係る組立て式の段ボール製ブースを示す実施例であり、図１は出入口に設けたドアを閉めた状態、図２は該ドアが開いている状態をそれぞれ表している。同図において、１ａ，１ｂ，１ｃは段ボール製の側壁を表し、２は段ボール製のドアを表している。同図に示すブースは４枚の段ボールが使用され、該段ボールを垂直に屈曲した状態で結束バンド３，３・・・にて連結している。
【００１７】
上記結束バンド３は樹脂製のバンドで、今日各種の結束バンド３が市販されており、適当なものを選んで使用することが出来る。該結束バンド３には一旦締付けたら弛めることが出来ないタイプと、弛めて取外すことが出来るタイプのものがある。避難生活が終わって不要に成った時にはブースを解体する為には、弛めることが出来るタイプの結束バンド３の方が好ましい。
【００１８】
図３は側壁１を示す具体例であり、該側壁１は（ａ）に示すように長方形の段ボールが用いられ、両側端には複数の小さい穴４，４・・・が貫通している。そして、（ｂ）に示すように中央にて折り曲げられ、Ｌ形に屈曲している。本発明のブースはＬ形に屈曲した４枚の側壁１ａ，１ｂ・・・が使用され、各側壁１ａ，１ｂ・・・は側端に設けた穴４，４・・・に結束バンド３，３・・・を通して互いに連結している。
【００１９】
図３（ａ）の５は屈曲線であり、該屈曲線５は側端６と平行に設けられ、垂直に折り曲げることが出来るように、段ボールの内側に切込みを入れている。すなわち、一般に３ｍｍ〜４ｍｍの厚さを有す段ボールが使用され、この段ボールの内側に２ｍｍ程度の深さの切込みを形成して上記屈曲線５としている。ところで、図３（ｂ）のように垂直に折り曲げても、垂直に保持することが出来ずして元の形状に戻ろうとするが、この場合には上端コーナーにＬ形コーナー部材を取付けることが出来る。
【００２０】
図４はドア２を形成した側壁１を示している具体例であり、ドア２は側壁１の一部が切断されて形成している。すなわち、（ａ）−（ｂ）−（ｃ）−（ｄ）は切り抜かれ、そして（ａ）−（ｄ）は内面側が切り込まれている。すなわち、一部が切り込まれて厚さを薄くした（ａ）−（ｄ）を継手としてドア２は開閉することが出来、蝶番等の特別な継手部材を取付けないで構成している。
【００２１】
図１、図２に示した本発明のブースは４枚の段ボールを用い、この段ボールをＬ形に屈曲する為に内面側の一部を切り込んだ屈曲線５を設けている。ここで、屈曲線５の位置を中立軸とした場合には正方形の床面となり、屈曲線５の位置を中立軸でなく、一方側に位置ズレして設けた場合には長方形の床面を有すブースを構成することが出来る。
そして、より大きな床面積のブースとする場合には、Ｌ形に屈曲した側壁のみならずＬ形側壁１，１の間に平坦な側壁を介在して連結すればよい。
【００２２】
本発明に係るブースは、Ｌ形側壁がコーナー部に位置するように互いに連結したもので、ブースのコーナー部での強度並びに剛性は大きく向上し、ブース全体の剛性も向上してその形状は崩れ難い。側壁として平坦な段ボールのみを用いて互いに結束バンドで連結する場合、コーナー部で隣り合う段ボールの側壁が突き合わされて結束バンドで締め付けられる。
Ｌ形をしたブースのコーナー部で側壁が突き合わされる場合に位置ズレを生じ、その結果、結束力に弛みを生じ、ブース全体の形状が崩れる虞がある。
【００２３】
ところで、本発明のブースは段ボール製の側壁を結束バンドによって互いに連結することで、一般人であっても簡単に組み立てることが出来る。従って、災害が発生した時には被災地へ段ボールと結束バンドを搬送することで、被災者自らが簡単に組み立てることでブースを作ることが出来る。
【００２４】
そして、避難生活が終わったならば、使用したブースは結束バンドを取り外すことで解体することが出来、倉庫などに保管出来る。保管する場合も平坦な段ボールとなることで積み重ねことが出来、保管スペースは小さくなる。
段ボール製のブースは比較的暖かく、また遮音性も良く、ブースはプライバシーが確保され、比較的生活し易い空間と成る。
【００２５】
図５は本発明に係るブースを示す他の実施例であり、同図に示すブースにはその上端、下端、及びコーナーには補強材を取付けている。補強材は樹脂製とし、溝を有し、この溝に上端及び下端が嵌入することが出来る。コーナーにはＬ形断面の補強材とし、側壁コーナーの外側に当てて取付けられ、その上下端は側壁と共に取付ける取付け具が用いられる。
【符号の説明】
【００２６】
１  側壁
２  ドア
３  結束バンド
４  穴
５  屈曲線
６  側端
７  補強材
８  補強材
９  補強材
【図１】
2016108781.tif 000003
【図２】
2016108781.tif 000004
【図３】
2016108781.tif 000005
【図４】
2016108781.tif 000006
【図５】
2016108781.tif 000007